(57)【特許請求の範囲】
【請求項１】
両端を地面より立設するポールと、
上記ポールに取り付ける天幕シートと該天幕シートの下面全体に敷設されるグランドシートとを一体的に設けたシートとからなるテントであって、
上記グランドシートより地面固定用の杭棒挿入ループを設けた張綱を突設し、かつ、
上記天幕シートに通常出入口を設けていると共に、該天幕シートの下端全周と上記グランドシートの全周とを留め具を介して連結して一体化させ、
上記留め具を外すことにより、天幕シートの全体あるいは一部と、グランドに固定されるグランドシートとを分離して、分離された天幕シートを捲くって非常用出口と出来る構成としていることを特徴とするテント。
【請求項２】
上記天幕シートとグランドシートの全周を連結する留め具は、ファスナーからなり、該ファスナーの雌雄係止用のスライダーを天幕シートとグランドシートで囲まれるテント内部側に位置させている請求項１に記載のテント。
【請求項３】
上記ファスナーとして、雌雄歯係止用のスライダーを閉じ方向先端の止端位置より更に閉じ方向に引っ張ると雌雄歯全体の係止を一度に解けるエマジェンシーファスナーを用いている請求項２に記載のテント。
【請求項４】
上記ファスナーは、天幕シートとグランドシートとを連結する４辺に対して、直角方向の２辺に連続するファスナーをそれぞれ取り付けて合計２本のファスナーを設け、これら２本のファスナーの上記止端位置を同一隅部に対向させて位置させ、２本のファスナーのスライダーを同時に引っ張ることができる構成としている請求項３に記載のテント。
【請求項５】
上記グランドシートはグランドに敷設する底面部の外周より立ち上がる裾部を備え、該裾部の上端縁と上記天幕シートの下端縁とを上記留め具で連結している請求項１乃至請求項４のいずれか１項に記載のテント。
【発明の詳細な説明】
【０００１】
【発明の属する技術分野】
本発明はテントに関し、特に、天幕シートに設けられた通常出入口を利用出来ない場合に、テント内部からの簡単な操作で非常用出口を開けてテント外へ出ることが出来るようにしたものである。
【０００２】
【従来の技術】
従来、汎用されているテントとして、図１２に示すテントがあり、このテントでは、ポール１に吊り下げる天幕シート２と、グランドに敷設するグランドシート３とを、それらの外周を縫着して一体化している。
【０００３】
上記天幕シート２とグランドシート３とを一体化したシートは、天幕シート２をポール１にフックを用いて吊り下げる場合と、天幕シート２に形成したスリーブにポール１を通す場合とがあり、天幕シート２を取り付けたポール１の両端は天幕シート２の下端隅部に設けたポール先端差込袋２ａに差し込んでポール１をアーチ状に立ち上げている。この天幕シート２に設けたポール差込袋２ａの下端より地面固定用の杭棒差し込みループ４ａを設けた紐４を突設しており、ループ４ａに杭棒５を差し込んで地面に打ち込むことにより、グランドシート３と一体化した天幕シート２およびポール１を地面に固定している。
【０００４】
上記天幕シート２の一カ所に出入口２ｂを設け、該出入口２ｂはファスナー６により開閉自在とされている。
【０００５】
【発明が解決しようとする課題】
上記構成のテントでは、出入口２ｂが一カ所であるため、該出入口２ｂを閉鎖した状態でファスナー６の係止用のスライダーが凍結あるいは不具合で動かなくなった場合には、テント外へ出ることが出来なくなる。
また、ファスナー６のスライダーが移動できる状態であっても、外敵の存在によりテント内部の者が出入口２ｂから脱出できない場合もある。さらに、緊急事態により、テント内部の多数の者が一度に脱出したい場合にも、狭い出入口２ｂでは対応出来ない場合もある。
【０００６】
上記のように、通常の出入口２ｂよりテント外へ出ることが出来ない状況が発生した場合には、ナイフ等で天幕シートを切断すれば良いが、夜間等における緊急脱出時に、テント内部に明かりがつけられない状況下では、ナイフを見つけるのに時間がかかる。さらに、天幕シートは通常容易に切断出来ない素材から形成されているため、脱出口となる程度に切断するには時間がかかる問題がある。
また、ナイフを所持していない場合には、天幕シートを切断することすら出来ない。
【０００７】
さらに、上記問題以外にも、天幕シートとグランドシートとが縫着されて一体化されているため、グランドシートの一部を捲って、テント内の一部を土足の状態でも良いようにしたい場合にも、従来のテントでは対応することができない。
【０００８】
本発明は上記した問題に鑑みてなされたもので、天幕シートに設けられた出入口を利用できない場合に、非常用出口をテント内部から簡単な操作で形成できるようにすることを主たる課題としている。
【０００９】
【課題を解決するための手段】
上記課題を解決するため、本発明は、両端を地面より立設するポールと、
上記記ポールに取り付ける天幕シートと該天幕シートの下面全体に敷設されるグランドシートとを一体的に設けたシートとからなるテントであって、
上記グランドシートより地面固定用の杭棒挿入ループを設けた張綱を突設し、かつ、
上記天幕シートに通常出入口を設けていると共に、該天幕シートの下端全周と上記グランドシートの全周とを留め具を介して連結して一体化させ、
上記留め具を外すことにより、天幕シートの全体あるいは一部と、グランドに固定されるグランドシートとを分離して、分離された天幕シートを捲くって非常用出口と出来る構成としていることを特徴とするテントを提供している。
【００１０】
上記構成のテントによれば、通常出入口を利用できない場合、天幕シートとグランドシートとを連結している留め具を外せば、天幕シートを捲って非常用出口とすることができる。其の際、グランドシートを杭棒で地面に固定して、天幕シートは地面に固定していないため、天幕シートとグランドシートとの全体を分離すれば、天幕シートの全体を地面より外して、天幕シートの全周を非常用出口とすることができ、テント内部の者が一度にテント外に出ることが可能となる。
【００１１】
さらに、上記テントは天幕シートとグランドシートとを完全に分離できるため、グランドシートを取り外して、天幕シートのみを用い、テント内部を資材置き場として利用することも可能となり、多用途に用いることが出来る。
【００１２】
上記天幕シートとグランドシートの全周を連結する留め具としては、ファスナーが用いられ、該ファスナーの雌雄係止用のスライダーを天幕シートとグランドシートで囲まれるテント内部側に位置させている。
【００１３】
上記のように、留め具としてファスナーを用いると、閉じた状態で天幕シートとグランドシートとの間に隙間が発生せず、隙間からの浸水を防止できると共に、虫等が入り込むのを防止できる。また、非常用出口を開ける場合にはファスナーのスライダーを引っ張るだけでよいため、簡単に非常用出口を開けることができる。
なお、ファスナー以外にスナップ等の雌雄留め具を間隔をあけて取り付けても良いが、操作性および防水、防虫等の点からファスナーが最も好ましい。
【００１４】
ファスナーとしては、雌雄歯係止用のスライダーを閉じ方向先端の止端位置より更に閉じ方向に引っ張ると雌雄歯全体の係止を一度に解けるエマジェンシーファスナーを用いている。
【００１５】
通常のファスナーではスライダーを開き方向に引き戻して雌雄係止歯の係止を順次解いていくが、この場合、大きなテントでは全周を開くのに時間がかかる。これに対して、上記エマジェンシーファスナーでは、止端位置からスライダーを閉じ方向に少し引っ張るだけで、ファスナー全体の係止を一度に解いて、天幕シートとグランドシートとの全周を開けることができる。よって、テント内部の多数人が一度に脱出でき、緊急脱出が必要な場合には最適な構造となる。
【００１６】
上記ファスナーは、天幕シートとグランドシートとを連結する４辺に対して、直角方向の２辺に連続するファスナーをそれぞれ取り付けて合計２本のファスナーを設け、これら２本のファスナーの上記止端位置を同一隅部に対向させて位置させ、２本のファスナーのスライダーを同時に引っ張ることができる構成としていることが好ましい。
【００１７】
天幕シートとグランドシートの全周を１本のファスナーで連結する構成とした場合、天幕シートとグランドシートとの連結の一部を解いて、グランドシートの一部を捲りたい場合に、ファスナーのスライダーを閉じ方向に引っ張ると全周が分離してしまうこととなる。
これに対して、上記のようにファスナーを２本とすると、１本のファスナーのスライダーを閉じ引っ張ると半周分だけ分離して、グランドシートを天幕シートに対して半周分だけ分離して地面より捲ることができる。その結果、テント内部に一部が地面部分となり、この部分は土足のままで利用できこととなる。よって、テント内部に必ず靴を脱いで入る必要がなくなる。
なお、天幕シートとグランドシートとをファスナーで連結しているため、グランドシートを一部だけ捲りたい場合には、スライダーを開き方向に引っ張って天幕シートから分離すればよい。
【００１８】
また、１本のファスナーで全周を開閉する機構とすると、該ファスナーに異常が発生して、スライダーを止端位置から閉じ方向に引っ張っれない場合や、スライダーを引っ張っても係止を解くことが出来ない場合等では非常用出口を開けることができなくなる。また、天幕シートとグランドシートとを分離した状態から連結する場合には、ファスナーのスライダーを基端側から全周にわたって閉じ方向に引っ張る必要があり、時間がかかる。
これに対して、上記のようにファスナーを分割すると、１本のファスナーに異常が生じても他方のファスナーを開いて非常用出口を開けることができる。また、分離状態から連結する時も、１本のファスナーの長さが短いため、同時に連結作業を行うと時間の短縮を図ることが出来る。
【００１９】
上記グランドシートはグランドに敷設する底面部の外周より立ち上がる裾部を備え、裾部の上端縁と上記天幕シートの下端縁とを上記留め具で連結している。ファスナー等の留め具は、地面に接する位置で天幕シートとグランドシートとを連結するように取り付けてもよいが、この場合、ファスナー等の留め具の間に地面の土砂が侵入して不具合が発生する恐れがある。よって、グランドシートの底面部の外周より立ち上がる裾部を設け、地面から若干離した位置で天幕シートとグランドシートとの留め具を取り付けておくことが好ましい。
なお、裾部を高くし過ぎると、天幕シートに設ける通常出入口の下端が地面より高い位置となるため、裾部の高さは底面より５センチ〜２０センチとすることが好ましい。
【００２０】
本発明のテントは、天幕シートとグランドシートとが通常は一体的に連結されているものに適用され、他の構成は限定されない。
即ち、天幕シートとポールとの関係は、ポールに天幕シートをフックを介して吊り下げる場合、天幕シートに設けたスリーブにポールを通す場合のいずれにも適用できる。ポールの両端は天幕シートの下端に設けたポール差込袋に挿入して、あるいは天幕シートの下端より突設した突片に設けたポール差込孔に差し込んで、アーチ状に湾曲させて地面より立設しているだけであるため、天幕シートがグランドシートから分離した状態で、天幕シートと共にポールが地面より分離することができる。
【００２１】
【発明の実施の形態】
以下、本発明のテントを図面を参照して説明する。
図１乃至図８は第１実施形態を示し、第１実施形態のテント１０はＸ型のフック吊り下げ式のテントからなる。
上記テント１０は２本のポール１１の各両端を地面よりアーチ状に立設し、ポール１１に四角錐状の天幕シート１２をフック５１を介して吊り下げて取り付けている。この天幕シート１２の下端全周は、地面に敷設されるグランドシート１３に１本のエマジェンシーファスナー２０（以下、ファスナーと略称する）により連結して、一体化したシート１４としている。
【００２２】
グランドシート１３は地面に敷設する底面部１３ａの外周より立ち上がる裾部１３ｂを備えている。このグランドシート１３の裾部１３ｂの上端縁１３ｃの全周と天幕シート１２の下端縁１２ａの全周とをファスナー２０からなる留め具を介して連結して一体化させている。
【００２３】
上記ファスナー２０は、全周閉鎖した止端位置より更に閉じ方向へ強く引っ張ると、ファスナーの係止を解く構成のもので、これにより、天幕シート１２の全体をグランドに固定されるグランドシート１３と一挙に分離し、分離された天幕シート１２を捲くって図３に示す非常用出口３５を形成できるようにしている。
【００２４】
具体的には、図５（Ａ）に示すように、ファスナー２０は、一対のテープ２１、２２と、これら各テープ２１，２２に一定ピッチで固着された雌歯２３、雄歯２４と、この雌雄歯２３、２４を係脱するスライダー２５を備えている。該スライダー２５は雌雄歯２３、２４とかみ合う係脱部２５ａと引手片２５ｂを備えている。雌雄歯係止用のスライダー２５を図５（Ａ）中で矢印Ａで示す閉じ方向先端の止端位置２７より更に閉じ方向に強く引っ張る（図５（Ｂ）の状態）と、図５（Ｃ）に示すように、雌雄歯２３、２４全体の係止を一度に解き、天幕シート１２とグランドシート１３とを分離する構成となっている。
【００２５】
また、ファスナー２０の一方のテープ２１の長さ方向の両端には係止片２８Ａ、２８Ｂを設けてスライダー２５が長さ方向の端部から抜け出ないようにしている。他方のテープ２２の基端部に蝶棒２９を取り付け、再度スライダー２５を蝶棒２９に通して元の状態に戻すことができる構成としている。
本実施形態では、天幕シート１２側にテープ２２を、グランドシート１３側にテープ２１を取り付け、かつ、スライダー２５はテント１０の内部に位置させている。
【００２６】
図６（Ａ）（Ｂ）に示すように、天幕シート１２とグランドシート１３との全周４辺を１本の長尺なファスナー２０で連結した構成としている。ファスナー２０の止端位置２７をテント１０内の隅部１０ａに位置させ、ファスナー２０のスライダー２５をテント１０内から図中矢印Ａに示す方向に引っ張ることで、天幕シート１２とグランドシート１３とを連結する４辺の係止を一度に分離できる構成としている。
【００２７】
グランドシート１３には、図７に示すように、地面固定用の杭棒挿入ループ３０を設けた張綱３１を、グランドシート１３より外側に向かって突設しており、杭棒３２を杭棒挿入ループ３０に挿入し、グランドシート１３を地面に固定している。
【００２８】
天幕シート１２の一カ所には、上下方向の通常出入口１２ｂを設けており、通常出入口１２ｂは通常のファスナー１２ｃにより開閉自在としている。
【００２９】
ポール１１に対して天幕シート１２をフックを介して吊り下げるため、図１に示すように、天幕シート１２の４つの稜線に沿って所要間隔をあけてフック取り付け布５０を突設し、その先端にフック５１を取り付けている。また、隣接するフック取り付け布５０の間に連結布５２を取り付け、フック５１がポール１１に対して位置ずれが発生するのを防止している。この連結布５２を天幕シート１２及びフック取り付け布５０に縫着して、フック５１を取り付けるポール１１の全長に沿って連結布５２を取り付けている。
【００３０】
上記フック５１を取り付ける一対のポール１１は、３０ｃｍ〜４０ｃｍ程度の複数の金属筒に弾性紐を通した構成で、使用時には直列に接合して長尺なポールとし、不使用時には折り畳めるようにしている。上記フック５１は、１つの金属筒に１つを取り付けるように間隔をあけて設けている。
【００３１】
また、図７に示すように、天幕シート１２の４つの稜線の下端部にポールの先端差し込み用のポール差込袋４０を設けている。これらポール差込袋４０の高さは、ポール１１の両端を対角位置のポール差込袋４０に差し込んで逆Ｕ字形状（アーチ状）に湾曲させて立ち上げた状態で倒れることなく、ポール１１を支持できる高さに設定している。ポール１１はポール差込袋４０を通過後、ポール１１の末端を、杭棒挿入ループ３０に取り付けたベルト３３に設けたポール末端係止部３４に挿入している。
【００３２】
次に、テント１０の組立方法について説明すると、図８に示すように、予め天幕シート１２とグランドシート１３をファスナーで連結した一体化しているシート１４のグランドシート１３部分を地面に広げる。
ついで、グランドシート１３の４隅より突設した杭棒挿入ループ３０を通して杭棒３２を地面に打ち込み、グランドシート１３を地面に固定する。
ついで、１本のポール１１の一端をテント１０の４隅のポール差込袋４０のうち１つに挿入し、ポール１１をアーチ状湾曲させて、ポール１１の他端を対角位置のポール差込袋４０に挿入する。このように、ポール１１の両端を所要長さのポール差込袋４０に挿入して保持しているため、ポール１１より手を離しても、ポール１１は湾曲して立ち上がった状態のまま自立させることができる。同様に、もう１本のポール１１の両端をポール差込袋４０に挿入して自立させ、これら２本のポール１１により平面視でＸ状のポール１１からなるフレームをグランドシート上に立設する。
ついで、テント１０の天幕シート１２を引き上げて、フック５１を順次ポール１１に取り付けていく。
このように、２本のポール１１に夫々フック５１を取り付けることにより、図１に示すように、テント１０の天幕シート１２は略四角錐状にポール１１の内面側に吊り下げられる。
【００３３】
上記テント１０では、通常時には、通常出入口１２ｂを開閉してテント１０に出入する。
テント１０の内部より通常出入口１２ｂを通って出られない状況が発生した場合には、テント内部に位置しているファスナー２０のスライダー２５を、全閉位置の止端位置２７から更に閉じ方向Ａに少しに引っ張るだけで、ファスナー２０の全体の雌雄係止を一度に解かれる。
【００３４】
その結果、天幕シート１２とグランドシート１３とが連結されていた全周のどの位置においても、天幕シート１２を上方へと引き上げると（上方へと捲ると）、杭棒により地面に固定されているグランドシート１３から分離して天幕シート１２を引き上げることができる。
よって、図３に示すように、テント１０の全周のどの位置にも部分的に、あるいは、全周に一度に非常用出口３５を設けることができる。
また、其の際、ポール１１の両端は天幕シート１２の下端のポール差込袋４０に挿入しているだけであるため、天幕シート１２と共にポール１１も地面から分離される。
【００３５】
このように、ファスナー２０を止端位置よりさらに閉じ方向に少し引っ張るだけで、ファスナー２０の全周の係止を解いて、天幕シート１２とグランドシート１３との間に非常用出口３５をあけて、テント１０の内部に居る多数の人が一度にテント１０外へ緊急脱出することができる。
【００３６】
また、緊急脱出以外にも、図４に示すように天幕シート１２とグランドシート１３とを完全に分離して、天幕シート１２の内部にグランドシート１３を敷設しない状態とし、臨時的に資材置き場として利用することも可能となる。
【００３７】
図９は本発明の第２実施形態を示す。
第１実施形態では、天幕シート１２とグランドシート１３との全周を１本の長尺なファスナー２０に連結した構成としているが、第２実施形態では、図９（Ａ）（Ｂ）に示すように、２本のファスナー２０Ａ，２０Ｂを用いている。
【００３８】
即ち、天幕シート１２とグランドシート１３とを連結する４辺に対して、直角方向の２辺に連続させたファスナー２０Ａ、２０Ｂを用いている。これら２本のファスナー２０Ａ、２０Ｂの止端位置２７Ａ、２７Ｂをテント１０内の同一隅部１０ａに対向させて位置させ、２本のファスナー２０Ａ、２０Ｂのスライダー２５Ａ、２５Ｂとをテント１０内から同時に図中矢印Ａに示す方向に引っ張り、係止を解くことができる構成としている。
【００３９】
このように、ファスナーを２本とすると、分離作業を効率良く行うことができる上に、グランドシート１３の半分を地面より捲る場合に、片方のファスナーを閉じ方向へ引っ張ると一度に１本のファスナーの係止を解くことが出来、使い勝手がよくなる。
【００４０】
また、上記実施形態では、天幕シートの４つの稜線の下端部にポールの先端差し込み用のポール差込袋４０を設けているが、図１０に示すように、天幕シート１２の４つの稜線の下端部から外側へ突設した突片６０にポール差込孔６１を設け、該ポール差込孔６１にポール１１を差し込むようにしてもよい。ポール１１はポール差込孔６１を通過後、ポール１１の末端を、杭棒挿入ループ３０に取り付けたベルト３３に設けたポール末端係止部３４に挿入している。
【００４１】
さらに、上記実施形態では、グランドシート１３から立ち上げた裾部１３ｂを設けて、その上端縁１３ｃと天幕シート１２の下端縁１２ａとをファスナーで連結しているが、図１１（Ａ）に示すように、グランドシート１３′に裾部を設けず、地面Ｓに接する位置で、天幕シート１２の下端縁１２ａとグランドシート１３′の外周縁１３ｃ′とをファスナー２０Ａ、２０Ｂにより連結してもよい。
【００４２】
上記構成とすると、グランドシート１３を部分的に捲ってテント内部に地面を露出させたい場合、図１１（Ｂ）（Ｃ）に示すように、ファスナー２０Ａ、２０Ｂのスライダー２５Ａ、２５Ｂを引っ張って、所要長さだけ天幕シート１２とグランドシート１３′とを部分的に分離した後に、グランドシート１３′の分離部分１３ｄ′の隅を固定している杭棒３２を杭棒挿入ループ３０から抜き取り、分離部分１３ｄ′を捲り上げ、テント内部側に土足進入可能部を設けることができる。
【００４３】
さらに、上記実施形態では、天幕シート１２の下端縁１２ａの全周とグランドシート１３の上端縁１３ｃの全周とを連結する留め具として、エマジェンシーファスナー２０を用いているが、通常のファスナー、スナップ等の雌雄留め具、フック、ボタン等の着脱容易な留め具を用いることもできる。
【００４４】
さらにまた、天幕シートに換気用の空気吹き出し口を設けても良いし、天幕シートに形成したスリーブにポールを通すスリーブ式としても良い。かつ、ポールの外面にアウターテントを被せても良いことは言うまでもなく、さらに、テント自体の大きさや形状も限定されず、天幕シートとグランドシートとが通常は一体化されているが、緊急時等では分離できる構成であれば、限定されない。
【００４５】
【発明の効果】
以上の説明より明らかなように、本発明によれば、天幕シートとグランドシートとを連結した留め具を外すことにより、天幕シートとグランドシートとを容易に分離することができる。その結果、分離された天幕シートを捲るだけで、簡単に非常用出口を形成することができる。従って、凍結等により天幕シートに設けられた出入口を利用できない場合や、火災等の災害による緊急脱出時に、ナイフ等がなくても、テントを傷つけることなく、テント内部の多数の人が早急にテント外へ脱出することができる。
【００４６】
特に、留め具としてテントの内部側にエマジェンシーファスナーを用いることにより、テント内でエマジェンシーファスナーのスライダーを引っ張るだけで、ファスナー全体の係止を一度に解くことができ、素早く、天幕シートとグランドシートとを分離することができる。
【００４７】
また、分離されたグランドシートの一部を捲って、テント内部の一部を土足で入っても良い状態にすることができる。特に、エマジェンシーファスナーを２本とすると、分離作業を効率良く行うことができると共に、テントの使用目的に応じて適度にグランドシートの一部を捲ることができる。
【００４８】
さらに、天幕シートとグランドシートとは着脱可能であるため、非常用出口を形成した後も、留め具で連結するだけで元の状態に戻すことができる。天幕シートとグランドシートは分離可能な構成としているが、組み立てた状態では、天幕シートとグランドシートは一体化しているため、テント内部への水・風、虫等の侵入も防止することができる。
【図面の簡単な説明】
【図１】  本発明の第１実施形態のテントを設営した状態の斜視図である。
【図２】  本発明の第１実施形態のテントの平面図である。
【図３】  本発明の第１実施形態のテントの非常用出口を形成した状態の斜視図である。
【図４】  本発明の第１実施形態のテントを分離した状態の斜視図である。
【図５】  （Ａ）（Ｂ）（Ｃ）は、エマジェンシーファスナーの構成を示す図である。
【図６】  （Ａ）（Ｂ）は、エマジェンシーファスナーの取り付け位置を示す図である。
【図７】  グランドシートを地面に固定し、天幕シートにポールを取り付けた状態を示す図である。
【図８】  テントの組立方法を示す概略図である。
【図９】  （Ａ）（Ｂ）は、第２実施形態のテントのエマジェンシーファスナーの取り付け状態を示す図である。
【図１０】  他の方法により、天幕シートにポールを取り付けた状態を示す図である。
【図１１】  （Ａ）（Ｂ）（Ｃ）は、エマジェンシーファスナーの取り付け位置を変更し、グランドシートを捲り上げた状態を示す図である。
【図１２】  従来のテントを示す概略図である。
【符号の説明】
１０  テント
１１  ポール
１２  天幕シート
１２ａ  下端縁
１３  グランドシート
１３ｂ  裾部
１３ｃ  上端縁
２０  エマジェンシーファスナー
２５  スライダー
３０  杭棒挿入ループ
３１  張綱
３５  非常用出口
４０  ポール差込袋
５１  フック
【図１】
0004444519.tif 000002
【図２】
0004444519.tif 000003
【図３】
0004444519.tif 000004
【図４】
0004444519.tif 000005
【図５】
0004444519.tif 000006
【図６】
0004444519.tif 000007
【図７】
0004444519.tif 000008
【図８】
0004444519.tif 000009
【図９】
0004444519.tif 000010
【図１０】
0004444519.tif 000011
【図１１】
0004444519.tif 000012
【図１２】
0004444519.tif 000013